(57)【要約】【課題】  廃棄時におけるデータの漏洩を未然かつ有効に防止し得る信頼性の高いデータ記憶装置を提案する。【解決手段】  ディスク状記録媒体が収納されたケース内部に、外部操作に応じて当該ディスク状記録媒体のデータの記録面に物理的な損傷を生じさせるディスク被損傷手段を設けるようにしたことにより、廃棄時などにおいて、ケース内部に収納されたディスク状記録媒体に故意に損傷を生じさせて当該ディスク状記録媒体に記録されたデータの読み出しを行えなくすることができ、これにより当該データの漏洩を未然にかつ有効に防止することができる。かくするにつき廃棄時におけるデータの漏洩を未然かつ有効に防止し得る信頼性の高いデータ記憶装置を実現できる。【選択図】        図２
2005122855.tif 000002
【特許請求の範囲】
【請求項１】
ケース内部に収納されたディスク状記録媒体と、
上記ディスク状記録媒体を所定速度で回転駆動する駆動手段と、
外部から与えられたデータを上記ディスク状記録媒体の記録面に書き込み又は上記ディスク状記録媒体の上記記録面に書き込まれた上記データを読み出す読書き手段と、
上記ケース内部に収納され、外部操作に応じて上記ディスク状記録媒体の上記記録面に物理的な損傷を生じさせるディスク被損傷手段と
を具えることを特徴とするデータ記憶装置。
【請求項２】
上記ケース内部に複数枚の上記ディスク状記録媒体が収納され、
当該各ディスクにそれぞれ対応させて上記ディスク被損傷手段が複数設けられた
ことを特徴とする請求項１に記載のデータ記憶装置。
【発明の詳細な説明】
【技術分野】
【０００１】
本発明は、データ記憶装置に関し、例えばハードディスク装置に適用して好適なものである。
【背景技術】
【０００２】
近年、パーソナルコンピュータが普及しており、オフィスや家庭などにおいて種々の用途で使用されている。このパーソナルコンピュータには、データ記憶装置としてハードディスク装置が搭載されており、必要なデータをこのハードディスク装置のケース内部に収納された磁気ディスクに記録して保存するようになされている。
【０００３】
従って、オフィスや家庭において使用していたパーソナルコンピュータを譲渡又は廃棄するに際しては、企業秘密の漏洩防止やプライバシ保護のために、そのパーソナルコンピュータに内蔵されたハードディスク装置内の磁気ディスクに記録されているデータを消去する作業が必要となる。
【０００４】
この場合、かかるデータを消去する方法としては、データを指定して「削除」する操作を行う方法や、ソフトウェアによりハードディスク装置を初期化（フォーマット）する方法、又は付属のリカバリーＣＤ（Compact Disk）を用いて工場出荷状態に戻す方法など、種々の方法が考えられる。
【発明の開示】
【発明が解決しようとする課題】
【０００５】
しかしながら、上述の各方法ではハードディスク装置内に保存されたデータのファイル管理情報が変更されるだけで、データ自体は磁気ディスク内に残っており、このため特殊なソフトウェアを用いることで、かかるデータを読み出し得る場合がある問題がある。
【０００６】
かかる問題を解決するための手段として、近年ではハードディスクに記録したデータを完全に消去し得るソフトウェアも市販されてはいるものの、かかるソフトウェアは高価であり、またデータ容量の大きなハードディスクの場合にはその消去に多くの時間を要する問題があった。
【０００７】
本発明は以上の点を考慮してなされたもので、廃棄時におけるデータの漏洩を未然かつ有効に防止し得る信頼性の高いデータ記憶装置を提案しようとするものである。
【課題を解決するための手段】
【０００８】
かかる課題を解決するため本発明においては、ケース内部に、外部操作に応じてディスク状記録媒体のデータの記録面に物理的な損傷を生じさせるディスク被損傷手段を設けるようにした。
【０００９】
この結果このデータ記憶装置では、廃棄時などにおいて、ケース内部に収納されたディスク状記録媒体の記録面に故意に損傷を生じさせて当該ディスク状記録媒体に記録されたデータの読み出しを行えなくすることができ、これにより当該データの漏洩を未然にかつ有効に防止することができる。
【発明の効果】
【００１０】
上述のように本発明によれば、データ記憶装置において、ケース内部に、外部操作に応じてディスク状記録媒体のデータの記録面に物理的な損傷を生じさせるディスク被損傷手段を設けるようにしたことにより、廃棄時などにおいて、ケース内部に収納されたディスク状記録媒体に故意に損傷を生じさせて当該ディスク状記録媒体に記録されたデータの読み出しを行えなくすることができ、これにより当該データの漏洩を未然にかつ有効に防止することができる。かくするにつき廃棄時におけるデータの漏洩を未然かつ有効に防止し得る信頼性の高いデータ記憶装置を実現できる。
【発明を実施するための最良の形態】
【００１１】
以下図面について、本発明の一実施の形態を詳述する。
【００１２】
（１）第１の実施の形態
図１において、１は全体として本実施の形態によるハードディスク装置を示し、蓋体２及び箱体３からなる密閉されたケース４の内部にスピンドルモータ（図示せず）が収納され、その出力軸５に円板形状の磁気ディスク６が同軸に固定されている。これによりこのハードディスク装置１においては、スピンドルモータを回転駆動することによって磁気ディスク６をその中心軸の回りに一定速度で回転させることができるようになされている。
【００１３】
またケース４の内部には磁気ディスク６の中心軸と平行に、かつ自己の中心軸の回りに回転自在にアーム支持部７が配設され、当該アーム支持部７には磁気ディスク６におけるデータの記録面６Ａと平行にアーム８が設けられている。
【００１４】
このときアーム８は、磁気ディスク６の記録面６Ａからごく僅かな間隙を介して位置するようにその配設位置が選定されると共に、アーム支持部７の回転に伴って先端部が磁気ディスク６を径方向に横切るようにその長さが選定されている。そして、このアーム８の先端部に磁気ヘッド９が固着されている。
【００１５】
さらにケース４の内部には、このアーム支持部７をその中心軸の回りに回転駆動するためのアクチュエータ１０が収納されており、かくしてこのアクチュエータ１０を駆動することによって、磁気ヘッド９を磁気ディスク６の径方向に移動させ得るようになされている。
【００１６】
さらにケース４の底部裏面側には制御基板（図示せず）が配設されると共に、当該制御基板にはスピンドルモータ及びアクチュエータ１０を駆動制御する制御回路が形成されており、この制御回路が外部から与えられるコマンドに基づいてスピンドルモータ及びアクチュエータを当該コマンドに応じた状態に制御することにより、このコマンドと共に外部から与えられたデータを磁気ディスク６の指定されたアドレスに記録し、又は磁気ディスク６の指定されたアドレスに記録されたデータを読み出し得るようになされている。
【００１７】
かかる構成に加えてこのハードディスク装置１の場合、図１及び図２（Ａ）に示すように、蓋体２の裏面側には磁気ディスク６を破損させ又は当該磁気ディスク６の記録面６Ａに傷を生じさせるなどして磁気ディスク６の記録面に物理的な損傷を生じさせるためのディスク被損傷部２０が設けられている。
【００１８】
実際上、このディスク被損傷部２０は、例えば板ばね等の弾性部材２１の一端側が蓋体２の裏面に固定されると共に、当該弾性部材２１の他端側に例えば金属材等からなる強固かつ所定の重みを有する重り２２が固定されることにより構成されている。
【００１９】
このとき弾性部材２１は、蓋体２に固定された一端側において、他端側が磁気ディスク６に近接する方向に折り曲げられている。また弾性部材２１の長さは重り２２が磁気ディスク６の外周部と対向するように選定されている。
【００２０】
さらに重り２２は、磁気ディスク６との対向側が尖った状態に形成されており、通常時は蓋体２の表面側から嵌め込まれたねじ２３により蓋体２の裏面側に固定されている。
【００２１】
これによりこのハードディスク装置１においては、ディスク被損傷部２０の重り２２を固定しているねじ２３を重り２２から外すことによって、弾性部材２１の弾性力により重り２２を磁気ディスク６に向かう方向に勢いよく変位させて磁気ディスク６に衝突させることができ、この衝突時の衝撃によって磁気ディスク６の記録面６Ａにおける重り２２との衝突部位に図（Ｂ）に示すように変形若しくは破損又は傷を発生させるなどの損傷を生じさせることができるようになされている。
【００２２】
以上の構成において、このハードディスク装置１を廃棄する場合には、ディスク被損傷部２０の重り２２を固定しているねじ２３を外す。この結果、このハードディスク装置１に内蔵された磁気ディスク６の記録面６Ａに損傷を生させて当該磁気ディスク６に記録されたデータの読み出しを行えなくすることができ、これによりデータの漏洩を確実に防止することができる。
【００２３】
この場合において、このハードディスク装置１では、ディスク被損傷部２０の重り２２を磁気ディスク６の外周部に衝突させるようにしているため、スピンドルモータの出力軸５に固定された磁気ディスク６の内周部に重り２２を衝突させる場合に比して大きな損傷を生じさせることができ、その分より確実に磁気ディスク６に記録されたデータの漏洩を防止することができる。
【００２４】
以上の構成によれば、ハードディスク装置１内部に弾性部材２１及び重り２２からなるディスク被損傷部２０を設け、ねじ２３を外すことによって重り２２を磁気ディスク６に衝突させて当該磁気ディスク６の記録面６Ａに損傷を生じさせることができるようにしたことにより、磁気ディスク６に記録されたデータの漏洩を確実に防止することができ、かくして廃棄時におけるデータの漏洩を未然かつ有効に防止し得るハードディスク装置を実現できる。
【００２５】
（２）第２の実施の形態
図１との対応部分に同一符号を付して示す図３は、第２の実施の形態によるハードディスク装置３０を示し、磁気ディスク６の記録面６Ａに物理的な損傷を生じさせるためのディスク被損傷部３１の構成が異なることを除いて第１の実施の形態によるハードディスク装置１（図１）と同様に構成されている。
【００２６】
すなわちこのハードディスク装置３０の場合、ディスク被損傷部３１においては、図３及び図４（Ａ）に示すように、蓋体３２の裏面側に磁気ディスク６と同軸に配設された円板部材４０を有し、当該円板部材４０の中心位置に設けられた図示しないねじ穴に蓋体２をその表面側から貫通するねじ４１がねじ込まれることにより構成されている。
【００２７】
この場合円板部材４０においては、例えば金属材等の磁気ディスク６よりも剛性の高い材料を用いて形成されている。そしてこの円板部材４０には、その一部にコ字状の切れ目を入れて矩形状の部分を磁気ディスク６側に折り曲げることにより当該磁気ディスク６の方向に突出形成された突出部４０Ａが、磁気ディスク６の径方向に移動するアーム支持部７と干渉しない位置に、かつ円板部材４０がねじ４１の先端部と螺合した状態において磁気ディスク６を変形させ又は破損させ得る程度の高さをもって複数設けられている。
【００２８】
またねじ４１は、蓋体３２に穿設された貫通孔３２Ａに嵌め込むように配設されており、これにより蓋体３２と干渉することなくねじ４１を自在に締める方向及び緩める方向に回転させることができるようになされている。
【００２９】
さらに円板部材４０及び蓋体３２間には板ばね等でなる弾性部材４２が複数配設されており、これら弾性部材４２によって円板部材４０を磁気ディスク６に押しつける方向に付勢し、かつねじ４１が回転された場合にも当該ねじ４１と一体に回転しないように円板部材４０を所定状態に保持し得るようになされている。
【００３０】
これによりこのハードディスク装置３０においては、図４（Ｂ）に示すように、ディスク被損傷部３１のねじ４１を緩める方向に回転させることで円板部材４０を磁気ディスク６に押しつける方向に移動させて、当該円板部材４０の突出部４０Ａを磁気ディスク６の記録面６Ａに圧接させることができ、かくしてこの円板部材４０の突出部４０Ａから磁気ディスク６に与える圧力によって、磁気ディスク６の記録面６Ａにおける当該突出部４０Ａとの接触部位に変形若しくは破損又は傷を発生させるなどの損傷を生じさせることができるようになされている。
【００３１】
以上の構成において、このハードディスク装置１を廃棄する場合には、ディスク被損傷部３１のねじ４１を緩める方向に回転させる。この結果、ディスク被損傷部３１の円板部材４０が磁気ディスク６に圧接して当該磁気ディスク６の記録面６Ａに損傷を生じさせて当該磁気ディスク６に記録されたデータの読み出しを行えなくすることができ、これによりデータの漏洩を確実に防止することができる。
【００３２】
以上の構成によれば、ハードディスク装置３０内部に円板部材４０、ねじ４１及び弾性部材４２からなるディスク被損傷部３１を設け、ねじ４１を緩める方向に回転させることによって円板部材４０の突出部４０Ａを磁気ディスク６に圧接させて当該磁気ディスク６の記録面６Ａに損傷を生じさせることができるようにしたことにより、磁気ディスク６に記録されたデータの漏洩を確実に防止することができ、かくして廃棄時におけるデータの漏洩を未然かつ有効に防止し得るハードディスク装置を実現できる。
【００３３】
（３）第３の実施の形態
図１との対応部分に同一符号を付して示す図５は、第３の実施の形態によるハードディスク装置５０を示し、磁気ディスク６が複数枚収納されている点と、これら磁気ディスク６の記録面６Ａに物理的な損傷を生じさせるためのディスク被損傷部５１の構成が異なる点とを除いて第１の実施の形態によるハードディスク装置１（図１）と同様に構成されている。
【００３４】
実際上、このハードディスク装置５０の場合、図６（Ａ）に示すように、複数枚の磁気ディスク６がその厚み方向に所定距離の空隙を介して位置するようにスピンドルモータの出力軸５に同軸に固定されると共に、図５に示すように、これら磁気ディスク６にそれぞれ対応させてアーム支持部７に第１の実施の形態によるハードディスク装置１のアーム８と同様構成のアーム５２が複数設けられ、これら各アーム５２の先端部にそれぞれ磁気ヘッド９が固着されている。
【００３５】
これによりこのハードディスク装置５０においては、各磁気ディスク６に対して対応する磁気ヘッド９を用いてその記録面６Ａに外部から与えられたデータを書き込み又は当該記録面６Ａに書き込まれたデータを読み出すことができるようになされている。
【００３６】
一方、ディスク被損傷部５１においては、図５及び図６（Ａ）に示すように、各磁気ディスク６にそれぞれ対応させて複数本ずつ設けられた軸体６０から構成されている。
【００３７】
この場合、各軸体６０においては、図６（Ａ）に示すように、一端側が箱体５４に回転自在に枢支されると共に、箱体５４の内部に突出する部分に鋸歯状の突起６０Ａが複数設けられており、かくして図６（Ａ）のように突起６０Ａを磁気ディスク６の記録面６Ａと平行に位置させた初期状態から９０度回転されたときに図６（Ｂ）のように突起６０Ａを対応する磁気ディスク６の記録面６Ａに接触させることにより、当該記録面６Ａに傷を生じさせることができるようになされている。
【００３８】
このため箱体５３の表面側に露出する各軸体６０の一端側の先端面にはドライバの先端部を嵌め込むための十字状の凹部６０Ｂが設けられており、かくして必要時にはドライバを用いて各軸体６０をそれぞれ容易に回転させることができるようになされている。
【００３９】
以上の構成において、このハードディスク装置５０を廃棄する場合には、ドライバを用いて各軸体６０を少なくとも９０度以上回転させる。この結果、このハードディスク装置５０に内蔵された磁気ディスク６の記録面６Ａに傷を生させて当該磁気ディスク６に記録されたデータの読み出しを行えなくすることができ、これによりデータの漏洩を確実に防止することができる。
【００４０】
以上の構成によれば、ハードディスク装置５０の内部に各磁気ディスク６にそれぞれ対応させて鋸歯状の突起６０Ａを複数有する軸体６０を設け、当該軸体６０を回転させることによって対応する磁気ディスク６の記録面６Ａに傷を生じさせることができるようにしたことにより、磁気ディスク６に記録されたデータの漏洩を確実に防止することができ、かくして廃棄時におけるデータの漏洩を未然かつ有効に防止し得るハードディスク装置を実現できる。
【００４１】
（４）他の実施の形態
なお上述の第１〜第３の実施の形態においては、本発明をハードディスク装置１、３０、５０に適用するようにした場合について述べたが、本発明はこれに限らず、要は、ケース内部にディスク状記録媒体と、当該ディスク状記録媒体を所定速度で回転駆動する駆動手段と、外部から与えられたデータをディスク状記録媒体の記録面に書き込み又はディスク状記録媒体の記録面に書き込まれたデータを読み出す読書き手段とが収納されてなるこの他種々の形態のデータ記憶装置に広く適用することができる。
【００４２】
また上述の第１〜第３の実施の形態においては、外部操作に応じて磁気ディスク６の記録面６Ａに物理的な損傷を生じさせるディスク被損傷手段としてのディスク被損傷部２０、３１、５１を、図２、図４又は図６について上述したように構成するようにした場合について述べたが、本発明はこれに限らず、要は、磁気ディスク６の記録面６Ａに損傷を生じさせることができるのであれば、ディスク被損傷部２０、３１、５１の構成としてはこの他種々の構成を広く適用することができる。
【００４３】
さらに上述の第１〜第３の実施の形態においては、外部操作に応じて磁気ディスク６の記録面６Ａに物理的な損傷を生じさせるディスク被損傷手段を通常のハードディスク装置のケース４内部に設けられる磁気ディスクや、スピンドルモータ、磁気ヘッド９を用いることなく別途設けるようにした場合について述べたが、本発明はこれに限らず、例えばかかるディスク被損傷手段を磁気ヘッド９と、外部からの制御信号に基づいて磁気ヘッド９を磁気ディスク６の記録面６Ａに押しつける電磁石等の何らかの押付け手段とで構成し、押付け手段により磁気ヘッド９を磁気ディスク６の記録面６Ａに押し付けた状態で磁気ディスク６を回転させるようにして当該磁気ディスク６の記録面６Ａに傷を生じさせるようにしても良い。
【産業上の利用可能性】
【００４４】
本発明は、ハードディスク装置のほか、外部から与えられたデータを記憶するこの他種々のデータ記憶装置に広く適用できる。
【図面の簡単な説明】
【００４５】
【図１】第１の実施の形態によるハードディスク装置の構成を示す略線的な斜視図である。
【図２】第１の実施の形態によるディスク被損傷部の構成を部分的に断面をとって示す断面図である。
【図３】第２の実施の形態によるハードディスク装置の構成を示す略線的な斜視図である。
【図４】第２の実施の形態によるディスク被損傷部の構成を部分的に断面をとって示す断面図である。
【図５】第３の実施の形態によるハードディスク装置の構成を示す略線的な斜視図である。
【図６】第３の実施の形態によるディスク被損傷部の構成を部分的に断面をとって示す断面図である。
【符号の説明】
【００４６】
１、３０、５０……ハードディスク装置、２、３２……蓋体、３、５４……箱体、６……磁気ディスク、６Ａ……記録面、２０、３１、５１……ディスク被損傷部、２１、４２……弾性部材、２２……重り、２３、４１……ねじ、４０……円板部材、４０Ａ……突出部、６０……軸体、６０Ａ……突起。
【図１】
2005122855.tif 000003
【図２】
2005122855.tif 000004
【図３】
2005122855.tif 000005
【図４】
2005122855.tif 000006
【図５】
2005122855.tif 000007
【図６】
2005122855.tif 000008